(57)【特許請求の範囲】
【請求項１】
複数の段落を有する文書に対し、文字サイズの縮小または拡大を伴う処理を指令する指令部と、
前記指令部の指令に従い、前記文字サイズの縮小または拡大を伴う処理を実行する編集処理部と、を備え、
前記編集処理部は、前記指令部により前記文字サイズの縮小を伴う処理が指令された場合であって、前記文書内に最小文字サイズの文字を含む段落が存在する場合、前記文書内に含まれる当該最小文字サイズの文字を含む段落以外の段落を対象として前記文字サイズを縮小し、前記指令部により前記文字サイズの拡大を伴う処理が指令された場合であって、前記文書内に最大文字サイズの文字を含む段落が存在する場合、前記文書内に含まれる当該最大文字サイズの文字を含む段落以外の段落を対象として前記文字サイズを拡大することを特徴とする情報処理装置。
【請求項２】
前記複数の段落のうち、前記文字サイズの縮小または拡大の対象としない特定段落を指定する特定段落指定部をさらに備え、
前記編集処理部は、前記特定段落以外の段落を対象として前記文字サイズを縮小または拡大することを特徴とする請求項１に記載の情報処理装置。
【請求項３】
前記文書内に、前記文字サイズの縮小または拡大の対象となる段落が存在しない場合、文字の文字間または書体を変更するか否かを問い合わせる問い合わせ画面を表示する画面表示部をさらに備え、
前記編集処理部は、前記問い合わせ画面の表示後、所定の操作が行われた場合、文字の文字間または書体を変更することを特徴とする請求項１または２に記載の情報処理装置。
【請求項４】
複数の行を有する文書に対し、文字サイズの拡大を伴う処理を指令する指令部と、
前記指令部の指令に従い、前記文字サイズの拡大を伴う処理を実行する編集処理部と、を備え、
前記編集処理部は、前記指令部により前記文字サイズの拡大を伴う処理が指令された場合であって、前記文書内に最大文字サイズの文字を含む行が存在する場合、前記文書全体の前記文字サイズの拡大をキャンセルすることを特徴とする情報処理装置。
【請求項５】
前記指令部により前記文字サイズの縮小を伴う処理が指令された場合、前記編集処理部は、前記文字サイズの縮小を伴う処理を実行し、
前記編集処理部は、前記指令部により前記文字サイズの縮小を伴う処理が指令された場合であって、前記文書内に最小文字サイズの文字を含む行が存在する場合、前記文書全体の前記文字サイズの縮小をキャンセルすることを特徴とする請求項４に記載の情報処理装置。
【請求項６】
複数の段落を有する文書に対し、文字サイズの縮小または拡大を伴う処理を指令する指令部と、
前記指令部の指令に従い、前記文字サイズの縮小または拡大を伴う処理を実行する編集処理部と、
前記編集処理部の編集処理結果に基づいて印刷データを生成する印刷データ生成部と、
前記印刷データをテープに印刷する印刷部と、を備え、
前記編集処理部は、前記指令部により前記文字サイズの縮小を伴う処理が指令された場合であって、前記文書内に最小文字サイズの文字を含む段落が存在する場合、前記文書内に含まれる当該最小文字サイズの文字を含む段落以外の段落を対象として前記文字サイズを縮小し、前記指令部により前記文字サイズの拡大を伴う処理が指令された場合であって、前記文書内に最大文字サイズの文字を含む段落が存在する場合、前記文書内に含まれる当該最大文字サイズの文字を含む段落以外の段落を対象として前記文字サイズを拡大することを特徴とするテープ印刷装置。
【請求項７】
前記複数の段落は、テープ長方向に並べて印刷され、
前記指令部は、前記文字サイズの縮小または拡大を伴う処理として、前記印刷部により印刷される前記テープの長さが指定されたテープ長となるように前記文書の長さを変更する定長設定処理を指令することを特徴とする請求項６に記載のテープ印刷装置。
【請求項８】
複数の行を有する文書に対し、文字サイズの拡大を伴う処理を指令する指令部と、
前記指令部の指令に従い、前記文字サイズの拡大を伴う処理を実行する編集処理部と、
前記編集処理部の編集処理結果に基づいて印刷データを生成する印刷データ生成部と、
前記印刷データをテープに印刷する印刷部と、を備え、
前記編集処理部は、前記指令部により前記文字サイズの拡大を伴う処理が指令された場合であって、前記文書内に最大文字サイズの文字を含む行が存在する場合、前記文書全体の前記文字サイズの拡大をキャンセルすることを特徴とするテープ印刷装置。
【請求項９】
複数の段落を有する文書に対し、文字サイズの縮小または拡大を伴う処理を指令する指令ステップと、
前記指令ステップの指令に従い、前記文字サイズの縮小または拡大を伴う処理を実行する編集処理ステップと、を実行し、
前記編集処理ステップは、前記指令ステップにて前記文字サイズの縮小を伴う処理が指令された場合であって、前記文書内に最小文字サイズの文字を含む段落が存在する場合、前記文書内に含まれる当該最小文字サイズの文字を含む段落以外の段落を対象として前記文字サイズを縮小し、前記指令ステップにて前記文字サイズの拡大を伴う処理が指令された場合であって、前記文書内に最大文字サイズの文字を含む段落が存在する場合、前記文書内に含まれる当該最大文字サイズの文字を含む段落以外の段落を対象として前記文字サイズを拡大することを特徴とする編集方法。
【請求項１０】
複数の行を有する文書に対し、文字サイズの拡大を伴う処理を指令する指令ステップと、
前記指令ステップの指令に従い、前記文字サイズの拡大を伴う処理を実行する編集処理ステップと、を実行し、
前記編集処理ステップは、前記指令ステップにて前記文字サイズの拡大を伴う処理が指令された場合であって、前記文書内に最大文字サイズの文字を含む行が存在する場合、前記文書全体の前記文字サイズの拡大をキャンセルすることを特徴とする編集方法。
【請求項１１】
コンピューターを、請求項１ないし５のいずれか１項に記載の情報処理装置における各部、若しくは請求項６ないし８のいずれか１項に記載のテープ印刷装置における各部として機能させるためのプログラム。
【発明の詳細な説明】
【技術分野】
【０００１】
本発明は、文字サイズの変更を伴う処理を実行する情報処理装置、テープ印刷装置、編集方法、プログラムに関する。
【背景技術】
【０００２】
この種の技術として、例えば非特許文献１が知られている。非特許文献１には、指定されたテープ長となるようにラベルを作成する「定長印刷」の機能が開示されている。また、この「定長印刷」が、複数の段落を有する文書に対して指定された場合であって、指定されたテープ長に文字がおさまらない場合、文字サイズを変更する機能（「つめつめ」機能）も開示されている。この「つめつめ」機能は、文書内に含まれる段落のうち、文字サイズを自動調整可能な段落（「らくらく」機能が指定された段落）を対象とし、後ろの段落から順に段落単位で文字サイズを小さくしていくものである。
【先行技術文献】
【非特許文献】
【０００３】
【非特許文献１】「テプラ」ＰＲＯ  ＳＲ９５０  取扱説明書  ２０１４年２月  第３版  株式会社キングジム  第８２−８３頁
【発明の概要】
【発明が解決しようとする課題】
【０００４】
ところが、非特許文献１では、「つめつめ」機能を実行させたい場合、段落ごとに「らくらく」機能を指定しておく必要があるため、手間がかかる。また、後ろの段落から順に文字サイズを小さくしていくため、ラベルの前側よりもラベルの後ろ側の文字サイズが小さくなる傾向があり、全体的に文字サイズのバランスが崩れやすいといった課題がある。
【０００５】
本発明は、上記の問題点に鑑み、簡単な操作で、文書全体の文字サイズのバランスを極力崩すことなく文字サイズを変更可能な情報処理装置、テープ印刷装置、編集方法、プログラムを提供することを目的とする。
【課題を解決するための手段】
【０００６】
本発明の情報処理装置は、複数の段落を有する文書に対し、文字サイズの変更を伴う処理を指令する指令部と、指令部の指令に従い、文字サイズの変更を伴う処理を実行する編集処理部と、を備え、編集処理部は、文書内に、指令部により指令された文字サイズの変更が不可能な制限文字サイズの文字を含む段落が存在する場合、文書内に含まれる当該制限文字サイズの文字を含む段落以外の段落を対象として文字サイズを変更することを特徴とする。
【０００７】
本発明のテープ印刷装置は、複数の段落を有する文書に対し、文字サイズの変更を伴う処理を指令する指令部と、指令部の指令に従い、文字サイズの変更を伴う処理を実行する編集処理部と、編集処理部の編集処理結果に基づいて印刷データを生成する印刷データ生成部と、印刷データをテープに印刷する印刷部と、を備え、編集処理部は、文書内に、指令部により指令された文字サイズの変更が不可能な制限文字サイズの文字を含む段落が存在する場合、文書内に含まれる当該制限文字サイズの文字を含む段落以外の段落を対象として文字サイズを変更することを特徴とする。
【０００８】
本発明の編集方法は、複数の段落を有する文書に対し、文字サイズの変更を伴う処理を指令する指令ステップと、指令ステップの指令に従い、文字サイズの変更を伴う処理を実行する編集処理ステップと、を実行し、編集処理ステップは、文書内に、指令ステップにて指令された文字サイズの変更が不可能な制限文字サイズの文字を含む段落が存在する場合、文書内に含まれる当該制限文字サイズの文字を含む段落以外の段落を対象として文字サイズを変更することを特徴とする。なお、本発明の主体は、コンピューター（情報処理装置）である。
【０００９】
本発明は、文書内に、指令された文字サイズの変更が不可能な制限文字サイズの文字を含む段落が存在する場合、文書内に含まれる当該段落以外の段落を対象として文字サイズを変更する。このように、制限文字サイズの文字を含むか否かに応じて、文字サイズの変更対象となる段落であるか否かを判定するため、文字サイズの変更対象となる段落を指定する手間を省くことができる。また、制限文字サイズの文字を含む段落以外の段落を対象として文字サイズを変更するため、文書の一部のみ文字サイズが変更され、文書全体の文字サイズのバランスが崩れることを防止できる。
【００１０】
上記の情報処理装置において、複数の段落のうち、文字サイズの変更の対象としない特定段落を指定する特定段落指定部をさらに備え、編集処理部は、特定段落以外の段落を対象として文字サイズを変更することを特徴とする。
【００１１】
本発明の構成によれば、ユーザーは、文字サイズを変更させたくない特定段落を指定することができる。
【００１２】
上記の情報処理装置において、文書内に、文字サイズの変更の対象となる段落が存在しない場合、文字の文字間または書体を変更するか否かを問い合わせる問い合わせ画面を表示する画面表示部をさらに備え、編集処理部は、問い合わせ画面の表示後、所定の操作が行われた場合、文字の文字間または書体を変更することを特徴とする。
【００１３】
本発明の構成によれば、文字サイズを変更できない場合でも、文字の文字間や書体を変更することで、ユーザーが所望する文書の長さを実現できる。
なお、「文字間」とは、隣り合う文字と文字の間隔を指す。また、「書体」とは、文字の体裁や様式を示すものであり、明朝体やゴシック体などのフォント種類、および文字の太さなどによって分類される。
【００１４】
本発明の情報処理装置は、複数の行を有する文書に対し、文字サイズの変更を伴う処理を指令する指令部と、指令部の指令に従い、文字サイズの変更を伴う処理を実行する編集処理部と、を備え、編集処理部は、文書内に、指令部により指令された文字サイズの変更が不可能な制限文字サイズの文字を含む行が存在する場合、文字サイズの変更が可能な文字で構成される行が存在する場合でも、文書全体の文字サイズの変更をキャンセルすることを特徴とする。
【００１５】
本発明のテープ印刷装置は、複数の行を有する文書に対し、文字サイズの変更を伴う処理を指令する指令部と、指令部の指令に従い、文字サイズの変更を伴う処理を実行する編集処理部と、編集処理部の編集処理結果に基づいて印刷データを生成する印刷データ生成部と、印刷データをテープに印刷する印刷部と、を備え、編集処理部は、文書内に、指令部により指令された文字サイズの変更が不可能な制限文字サイズの文字を含む行が存在する場合、文字サイズの変更が可能な文字で構成される行が存在する場合でも、文書全体の文字サイズの変更をキャンセルすることを特徴とする。
【００１６】
本発明の編集方法は、複数の行を有する文書に対し、文字サイズの変更を伴う処理を指令する指令ステップと、指令ステップの指令に従い、文字サイズの変更を伴う処理を実行する編集処理ステップと、を実行し、編集処理ステップは、文書内に、指令ステップにて指令された文字サイズの変更が不可能な制限文字サイズの文字を含む行が存在する場合、文字サイズの変更が可能な文字で構成される行が存在する場合でも、文書全体の文字サイズの変更をキャンセルすることを特徴とする。
【００１７】
本発明は、文書内に、指令された文字サイズの変更が不可能な制限文字サイズの文字を含む行が存在する場合、文字サイズの変更が可能な文字で構成される行が存在する場合でも、文書全体の文字サイズの変更をキャンセルする。このように、制限文字サイズの文字を含むか否かに応じて、文字サイズを変更するかキャンセルするかを決定するため、文字サイズの変更対象として行や段落を指定する手間を省くことができる。また、文字サイズの変更が可能な文字で構成される行が存在する場合でも、文字サイズの変更が不可能な行が存在する場合は、文書全体の文字サイズの変更をキャンセルするため、文書の一部の行のみ文字サイズが変更され、文書全体の文字サイズのバランスが崩れることを防止できる。
なお、「文字サイズの変更が可能な文字」とは、制限文字サイズ以外の文字サイズの文字を指す。
【００１８】
上記の情報処理装置において、指令部により文字サイズの縮小を伴う処理が指令された場合、制限文字サイズは、最小文字サイズであり、指令部により文字サイズの拡大を伴う処理が指令された場合、制限文字サイズは、最大文字サイズであることを特徴とする。
【００１９】
本発明の構成によれば、文字サイズの変更を伴う処理として、文字サイズの縮小処理および拡大処理を実現できる。
【００２０】
上記のテープ印刷装置において、複数の段落は、テープ長方向に並べて印刷され、指令部は、文字サイズの変更を伴う処理として、印刷部により印刷されるテープの長さが指定されたテープ長となるように文書の長さを変更する定長設定処理を指令することを特徴とする。
【００２１】
本発明の構成によれば、定長設定処理が指令された場合に、簡単な操作で、文書全体の文字サイズのバランスを極力崩すことなく文字サイズを変更することができる。
【００２２】
本発明のプログラムは、コンピューターを、上記の情報処理装置における各部、若しくは上記のテープ印刷装置における各部として機能させることを特徴とする。
【００２３】
このプログラムを実行することにより、簡単な操作で、文書全体の文字サイズのバランスを極力崩すことなく文字サイズを変更可能な情報処理装置またはテープ印刷装置を実現できる。
【図面の簡単な説明】
【００２４】
【図１】テープ印刷装置の外観斜視図である。
【図２】テープ印刷装置のハードウェア構成を示すブロック図である。
【図３】第１実施形態に係るテープ印刷装置の機能構成を示すブロック図である。
【図４】文字サイズの一覧表である。
【図５】段落の設定方法を示す画面遷移図である。
【図６】図５に続く、画面遷移図である。
【図７】ラベル編集結果の一例を示す図である。
【図８】定長設定に基づく縮小処理の工程を示す説明図である。
【図９】図８に続く、説明図である。
【図１０】ラベル編集結果の一例を示す図である。
【図１１】定長設定に基づく拡大処理の工程を示す説明図である。
【図１２】図１１に続く、説明図である。
【図１３】テープ印刷装置の編集方法（定長設定処理）を示すフローチャートである。
【図１４】テープ印刷装置の編集方法（縮小処理）を示すフローチャートである。
【図１５】テープ印刷装置の編集方法（拡大処理）を示すフローチャートである。
【図１６】第２実施形態に係る印刷システムの機能構成を示すブロック図である。
【発明を実施するための形態】
【００２５】
[第１実施形態]
以下、添付の図面を参照して、本発明の情報処理装置、テープ印刷装置、編集方法、プログラムについて説明する。本実施形態では、本発明の情報処理装置を、テープ印刷装置１に適用した場合を例示する。
【００２６】
図１は、テープ印刷装置１の外観斜視図である。同図に示すようにテープ印刷装置１は、装置ケース２により外郭が形成され、装置ケース２の前部上面には各種入力キー・ボタンを備えたキーボード３が配置される。また、テープ印刷装置１の後部上面には、その左部に開閉蓋２１が取り付けられ、その右部には表示画面４１が配設されている。開閉蓋２１の内側にはテープカートリッジＣを装着するためのカートリッジ装着部６が窪入形成されており、テープカートリッジＣは、開閉蓋２１を開放した状態でカートリッジ装着部６に装着される。
【００２７】
装置ケース２の左側部には、カートリッジ装着部６と外部とを連通するテープ排出口２２が形成され、このテープ排出口２２には、不図示のテープ搬送機構により送り出した印刷テープＴ（テープ）を切断するためのテープカッター２３が臨んでいる。そして、テープ排出口２２から印刷済みの印刷テープＴが所定長さだけ送り出され、送りを一旦停止させた状態でテープカッター２３により切断されて、短冊状のラベル（図示省略）が作成される。
【００２８】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４と、を備えている。また、カートリッジ装着部６の下側には、テープ搬送機構となるプラテン駆動軸６２および巻き取り駆動軸６３を回転させるテープ送りモーター２６（図２参照）が内蔵されている。
【００２９】
テープカートリッジＣは、カートリッジケース５１内部の上部中央部に、一定の幅の印刷テープＴを巻回したテープリール１７と、右下部にインクリボンＲを巻回したリボンリール１９とを収容して構成されている。また、テープリール１７の左下部には、上記ヘッドユニット６１を覆うヘッドカバー６１ａが差し込まれるための貫通孔５５が形成されている。また、リボンリール１９に近接してリボン巻き取りリール５４が配置され、リボンリール１９から繰り出されたインクリボンＲは、ヘッドカバー６１ａを周回するように、リボン巻き取りリール５４に巻き取られる。
【００３０】
一方、印刷テープＴは、裏面に粘着剤層が形成された記録テープＴａと、剥離テープＴｂとから成り、記録テープＴａを外側にしてロール状に巻回され、カートリッジケース５１内に収容されている。また、印刷テープＴは、テープ種別が異なる複数種のものが用意されており、各カートリッジケース５１には、このうち１種類の印刷テープＴが収容されている。
【００３１】
次に、図２を参照し、テープ印刷装置１のハードウェア構成について説明する。テープ印刷装置１は、ハードウェア構成として、キーボード３、表示画面４１、テープ識別センサー２７、メモリー７０、印刷機構７１および制御機構７２を備える。
【００３２】
キーボード３は、文字（記号や絵文字を含む）の入力および編集、画像の挿入および編集、各種設定等を行うために用いられる。表示画面４１は、編集画面Ｄ１（図５参照）など各種情報を表示する。テープ識別センサー２７は、印刷テープＴのテープ幅、テープ材質、テープ色、およびインクリボンＲのインク色など、テープカートリッジＣの情報を検出する。検出方法としては、テープカートリッジＣに貼付または印刷された画像（バーコードや２次元コードなど）やＲＦＩＤ（Radio  Frequency  Identification）を読み取る方法、テープカートリッジＣに形成された１以上の孔の有無を検出する方法、などが考えられる。
【００３３】
メモリー７０は、不揮発性の記憶領域であり、テープ印刷装置１のファームウェアや各種設定情報を記憶する。印刷機構７１は、印刷ヘッド７、テープ送りモーター２６、カッターモーター２５およびテープカッター２３を含む。印刷ヘッド７は、繰り出された印刷テープＴの記録テープＴａに印刷を行う。テープ送りモーター２６は、繰り出された印刷テープＴをテープ排出口２２（図１参照）に向けて搬送する。カッターモーター２５は、テープカッター２３を駆動し、印刷テープＴの印刷済み部分を切断する。
【００３４】
制御機構７２は、ＣＰＵ（Central  Processing  Unit）およびＲＡＭ（Random  Access  Memory）等によって構成され、上記の各部と連携し、編集処理や印刷制御を行う。特に本実施形態では、文字サイズの変更を伴う処理が指令された場合に、文字サイズを変更（縮小または拡大）する編集処理を行う。詳細については、後述する。
【００３５】
次に、図３を参照し、テープ印刷装置１の機能構成について説明する。テープ印刷装置１は、機能構成として、指令部１１０、特定段落指定部１２０、編集処理部１３０、画面表示部１４０、印刷データ生成部１５０および印刷部１６０を備える。
【００３６】
指令部１１０は、編集中の文書に対し、文字サイズの変更を伴う処理を指令する。本実施形態では、「文字サイズの変更を伴う処理」として、ラベルの長さ（印刷部１６０により印刷される印刷テープＴの長さ）がユーザーにより指定されたテープ長となるように文書の長さを変更する「定長設定処理」を例示する。当該「定長設定処理」は、指定されたテープ長となるようにラベルを作成する「定長印刷」機能を実現するための編集処理である。
【００３７】
なお、「文書」は、１以上の段落から構成される。また、「段落」は、１以上の行から構成される。また、「行」は、１以上の文字から構成される。なお、文書内に複数の段落が含まれる場合、これら複数の段落は、テープ長方向に並べて印刷される。また、段落内に複数の行が含まれる場合、これら複数の行は、テープ幅方向に積み重ねて印刷される。また、本実施形態では、段落内に複数の行が含まれる場合、行単位で文字サイズを指定可能である。
【００３８】
特定段落指定部１２０は、文書に含まれる段落のうち、文字サイズの変更の対象としない特定段落を指定する。当該特定段落の指定により、定長設定処理が指令された場合（以下、「定長設定された場合」と表現する）でも、ユーザーの意図に反して、特定段落内に含まれる文字の文字サイズが縮小または拡大されてしまうことを防止できる。
【００３９】
編集処理部１３０は、指令部１１０の指令に従い、文字サイズの変更を伴う処理を実行する。ここで、「文字サイズの変更を伴う処理」は、定長設定処理であり、当該定長設定処理には、文字サイズを縮小する「縮小処理」または文字サイズを拡大する「拡大処理」が含まれる。これら「縮小処理」および「拡大処理」では、段落内に複数の行が含まれる場合、全ての行について同じ段階数だけ文字サイズを縮小または拡大する。したがって、段落内に、文字サイズの変更が不可能な制限文字サイズの文字を含む行が存在する場合は、文字サイズの変更が可能な文字のみで構成される行が存在する場合でも、段落全体の文字サイズの変更をキャンセルする。また、文書内に複数の段落が含まれる場合は、文書内に含まれる段落のうち、文字サイズの変更が不可能な制限文字サイズの文字を含む段落以外の全ての段落を対象として文字サイズを変更する。
【００４０】
なお、文字サイズの変更が不可能な「制限文字サイズ」とは、指令部１１０により文字サイズの縮小を伴う処理が指令された場合、つまり定長設定されたテープ長が編集処理中の文書の長さ（現在のテープ長）よりも短い場合、「最小文字サイズ」を指す。逆に、指令部１１０により文字サイズの拡大を伴う処理が指令された場合、つまり定長設定されたテープ長が現在のテープ長よりも長い場合、「制限文字サイズ」とは、「最大文字サイズ」を指す。
【００４１】
図４は、本実施形態のテープ印刷装置１に適用される文字サイズの一覧表である。同図に示すように、本実施形態のテープ印刷装置１は、文字サイズを段階的に縮小／拡大することができる。また、本実施形態において「最小文字サイズ」とは、５pt（但し、横の長さは５×０．７５＝３．７５pt）の「縮Ｆ」を指す。
【００４２】
一方、「最大文字サイズ」は、装着されているテープカートリッジＣに収容された印刷テープＴのテープ幅によって異なる。例えば３６mmのテープ幅の場合、７２ptの「Ｋ」が「最大文字サイズ」となり、２４mmのテープ幅の場合、５１ptの「Ｈ」が「最大文字サイズ」となる。また、段落内に複数の行が含まれる場合は、ユーザーにより指定された行数と、各行の文字サイズのバランスによっても、「最大文字サイズ」が異なる（図５の画面Ｄ３，図６の画面Ｄ４参照）。さらに、段落内に複数の行が含まれる場合であって、各行の文字バランスが異なる場合は（例えば、１行目と２行目の文字サイズの組み合わせが「大・小」、「小・大」の場合など）、行によっても「最大文字サイズ」が異なる。つまり、「最大文字サイズ」とは、印刷テープＴのテープ幅、行数、各行の文字サイズのバランス、および対象行によって定まる文字サイズである。
【００４３】
一方、編集処理部１３０は、特定段落指定部１２０により特定段落が指定された場合、特定段落以外の段落を対象として文字サイズを変更する。また、画面表示部１４０は、文書内に、文字サイズの変更の対象となる段落が存在しない場合、文字の文字間（隣り合う文字と文字の間隔）を変更するか否かを問い合わせる問い合わせ画面９０（図９参照）を表示画面４１に表示する。なお、「文書内に、文字サイズの変更の対象となる段落が存在しない場合」とは、文書に含まれる段落の全てが、特定段落指定部１２０により指定された特定段落、または制限文字サイズの文字を含む段落に該当する場合である。編集処理部１３０は、問い合わせ画面９０の表示後、ユーザーにより、文字間の変更を許可する所定の操作が行われた場合、文字の文字間を変更する。なお、本実施形態において、文字間は、「密着」、「狭い」、「ふつう」、「広い」の４段階で設定される。
【００４４】
印刷データ生成部１５０は、編集処理部１３０の編集処理結果に基づいて、ラベルを作成するための印刷データを生成する。また、印刷部１６０は、印刷データ生成部１５０により生成された印刷データを印刷テープＴ（テープ）に印刷する。
【００４５】
次に、図５および図６の画面遷移図を参照し、段落の設定方法について説明する。図５の最初の画面は、編集画面Ｄ１を示す。編集画面Ｄ１の上段８１では、その左部にテープ長（同図の例では、「４．６cm」）およびテープ幅（同図の例では、「２４mm」）を表示し、その右部にラベルイメージを表示する。ラベルイメージとは、印刷テープＴを模したテープイメージ上に印刷画像の画像イメージを重畳表示したものである。また、編集画面Ｄ１の下段８２は、文字入力領域である。同図において、白抜き四角で囲まれた「１」のマークが、１段落目の編集であることを示し、黒塗り四角で囲まれた「１」，「２」のマークが、１行目，２行目の編集であることを示す。同図の例では、１行目，２行目共に「ＡＢＣＤＥＦＧＨＩ」の文字が入力され、その入力結果がラベルイメージ（画像イメージ）に反映されている。
【００４６】
編集画面Ｄ１が表示された状態で、キーボード３の「編集」キーが選択されると、段落の編集を行う編集メニュー選択画面Ｄ２に遷移する。編集メニュー選択画面Ｄ２では、選択肢として、「レイアウト」、「文字サイズ」、「スタイル」、「文字間」を表示する。「レイアウト」が選択されると、前寄せ、中寄せ、均等割付け、後寄せ、などの割付けを選択可能となっている。また、「スタイル」が選択されると、飾り枠（外枠・表組み)の種類を選択可能となっている。また、「文字間」が選択されると、「密着」、「狭い」、「ふつう」、「広い」のいずれかを選択可能となっている。ここで、選択肢「文字サイズ」が選択されると、行数選択画面Ｄ３に遷移する。
【００４７】
行数選択画面Ｄ３は、選択肢として「１行」、「２行」、「３行」、「４行」を表示する。装着されたテープカートリッジＣのテープ幅によっては、さらに多くの選択肢を表示する。行数選択画面Ｄ３で、選択肢「２行」が選択されると、図６に示す２行文字サイズ選択画面Ｄ４に遷移する。２行文字サイズ選択画面Ｄ４は、１行目と２行目の文字サイズの組み合わせを選択するものであり、選択肢として「大・大」、「中・中」、「大・小」、「小・大」を表示する。２行文字サイズ選択画面Ｄ４で、選択肢「大・大」が選択されると、設定範囲選択画面Ｄ５に遷移する。なお、行数選択画面Ｄ３で、選択肢「３行」または「４行」が選択された場合、文字サイズの組み合わせを選択する画面（２行文字サイズ選択画面Ｄ４に相当する画面）では、行数に応じた組み合わせ選択肢を表示する。また、行数選択画面Ｄ３で、選択肢「１行」が選択された場合、文字サイズの組み合わせを選択する画面への遷移を省略する。
【００４８】
設定範囲選択画面Ｄ５では、選択肢として「この段落」および「ラベル全体」を表示する。選択肢「この段落」が選択された場合は、編集対象となっている段落（本例では、１段落目）のみに、設定された文字サイズを反映する。また、選択肢「ラベル全体」が選択された場合は、文書に含まれる全ての段落を対象として、設定された文字サイズを反映する。設定範囲選択画面Ｄ５でいずれかの選択肢が選択されると（同図の例では、「この段落」が選択されている）、文字サイズ固定選択画面Ｄ６に遷移する。
【００４９】
文字サイズ固定選択画面Ｄ６は、編集対象となっている段落の文字サイズを固定するか否か（特定段落として指定するか否か）を選択するものであり、選択肢として「はい」および「いいえ」を表示する。ここで、選択肢「はい」が選択されると、定長設定された場合の縮小処理または拡大処理による文字サイズの変更を禁止することができる。
【００５０】
次に、図７ないし図１２を参照し、定長設定に基づく縮小処理および拡大処理の工程について説明する。図７は、ラベル編集結果の一例を示す図である。同図の符号Ｌ０１は、自動テープ長（定長設定されていない状態のテープ長）が２５cmで、５段落構成のラベル編集結果を示す。符号Ｐ１〜Ｐ５の破線枠は、１段落目の領域〜５段落目の領域を示すものであり、実際に印刷されるものではない。また、符号Ｔａは、テープ長２５cmのテープイメージを示す（図１１，図１２も同様）。また、図８ないし図１０の符号Ｔｂは、テープ長１５cmのテープイメージを示す。
【００５１】
また、図７の符号Ｌ０１に示すラベル編集結果の１段落目Ｐ１は、１つの記号のみで構成され、ユーザー指定で文字サイズが固定されている。また、２段落目Ｐ２は、１行で構成され、文字サイズはＬ´字に設定されている。また、３段落目Ｐ３は、２行で構成され、文字サイズはいずれもＳ´字に設定されている。また、４段落目Ｐ４は、２行で構成され、文字サイズは縮Ｆ字とＭ字に設定されている。また、５段落目Ｐ５は、２行で構成され、文字サイズはＰ字とＳ字に設定されている。なお、同図の例では、全ての段落において「文字間」が「ふつう」に設定されているものとする。
【００５２】
まず、図８および図９を参照し、縮小処理について説明する。図８の符号Ｌ０２は、符号Ｌ０１の編集状態から、テープ長１５cmに定長設定した状態を示す。同図に示すように、１段落目Ｐ１は、ユーザー指定により文字サイズが固定されており、４段落目Ｐ４は、最小文字サイズ（縮小処理の制限文字サイズ、本実施形態では「縮Ｆ字」，図４参照）の文字が含まれているため、これらの段落は、縮小対象外となる。なお、縮小対象となる段落は、グレーの破線枠で示す（符号Ｌ０２の編集状態における、符号Ｐ２，Ｐ３，Ｐ５参照）。
【００５３】
符号Ｌ０３は、符号Ｌ０２の編集状態から、１段階文字サイズを縮小した状態を示す。つまり、２段落目Ｐ２の文字サイズが、Ｌ´字からＭ字に変更となり、３段落目Ｐ３の文字サイズが、Ｓ´字からＰ字に変更となり、５段落目Ｐ５の文字サイズが、Ｐ字からＦ字とＳ字からＳ´字に変更となる。
【００５４】
符号Ｌ０４は、符号Ｌ０３の編集状態から、さらに１段階文字サイズを縮小した状態を示す。つまり、２段落目Ｐ２の文字サイズが、Ｍ字からＳ字に変更となり、３段落目Ｐ３の文字サイズが、Ｐ字からＦ字に変更となり、５段落目Ｐ５の文字サイズが、Ｆ字から縮Ｆ字とＳ´字からＰ字に変更となる。５段落目Ｐ５は、最小文字サイズの縮Ｆ字が含まれるため、次回より縮小対象外となる。
【００５５】
図９の符号Ｌ０５は、符号Ｌ０４の編集状態から、さらに１段階文字サイズを縮小した状態を示す。つまり、２段落目Ｐ２の文字サイズが、Ｓ字からＳ´字に変更となり、３段落目Ｐ３の文字サイズが、Ｆ字から縮Ｆ字に変更となる。３段落目Ｐ３は、最小文字サイズの縮Ｆ字が含まれるため、次回より縮小対象外となる。続いて、符号Ｌ０６は、符号Ｌ０５の編集状態から、さらに３段階文字サイズを縮小した状態を示す。これにより、２段落目Ｐ２の文字サイズが最小文字サイズの縮Ｆ字に変更となり、次回より縮小対象外となる。つまり、符号Ｌ０６の編集状態では、縮小可能な段落が存在せず、これ以上文字サイズを縮小することができない。このような場合、文字の文字間を変更するか否かを問い合わせる問い合わせ画面９０を表示する。
【００５６】
問い合わせ画面９０を表示した状態で、ユーザーにより「Ｙｅｓ」の選択操作（所定の操作）が行われた場合は、文字間を狭くすることが可能な段落を対象として、文字間を「ふつう」から「狭い」に変更する。すなわち、符号Ｌ０７に示すように、複数文字から成る行を有する段落Ｐ２ないしＰ５を対象として、文字間を１段階狭くする。同図の例では、文字間隔変更により、テープ長（編集中の文書に基づいて作成されるラベルのテープ長）が定長指定された１５cm以下となったため、ここで縮小処理を終了する。但し、文字間変更後のテープ長が定長指定された１５cm以下とならなかった場合は、さらに１段階文字間を狭くする（「密着」にする）。また仮に、文書内に文字間が「密着」に設定された段落が含まれている場合は、その段落以外の段落を対象として文字間を縮小する。
【００５７】
なお、以上の縮小処理は、「定長設定されたとき」、または「定長設定後、縮小処理を許可する所定の操作が行われたとき」のいずれかに実行されるものである。また、Ｌ０２〜Ｌ０７は、処理の過程を示したものであり、各編集状態を順次表示画面４１に表示したり、各編集状態を切り替えるユーザー操作を必要とするものではない（拡大処理についても同様）。例えば、図７のＬ０１を表示画面４１に表示している状態で定長設定された場合、次に表示画面４１に表示されるのは、図９の問い合わせ画面９０である。
【００５８】
次に、拡大処理について説明する。図１０は、自動テープ長が１５cmのラベル編集結果の一例を示す図である。同図の符号Ｌ１１に示すラベル編集結果の１段落目Ｐ１は、１行で構成され、文字サイズは縮Ｆ字に設定されている。また、２段落目Ｐ２は、２行で構成され、文字サイズはいずれも縮Ｆ字に設定されている。また、３段落目Ｐ３は、２行で構成され、文字サイズは縮Ｆ字とＭ字に設定されているが、ユーザー指定で文字サイズが固定されている。また、４段落目Ｐ４は、２行で構成され、文字サイズは縮Ｆ字とＰ字に設定されている。
【００５９】
図１１の符号Ｌ１２は、符号Ｌ１１の編集状態から、テープ長２５cmに定長設定された状態を示す。同図に示すように、３段落目Ｐ３は、ユーザー指定により文字サイズが固定されているため、縮小対象外となる。したがって、縮小対象となる段落は、１段落目Ｐ１，２段落目Ｐ２，４段落目Ｐ４である。符号Ｌ１３は、符号Ｌ１２の編集状態から、１段階文字サイズを拡大した状態を示す。つまり、１段落目Ｐ１および２段落目Ｐ２の文字サイズが、縮Ｆ字からＦ字に変更となり、４段落目Ｐ４の文字サイズが、縮Ｆ字からＦ字とＰ字からＳ´字に変更となる。
【００６０】
符号Ｌ１４は、符号Ｌ１３の編集状態から、さらに１段階文字サイズを拡大した状態を示す。つまり、１段落目Ｐ１および２段落目Ｐ２の文字サイズが、Ｆ字からＰ字に変更となり、４段落目Ｐ４の文字サイズが、Ｆ字からＰ字とＳ´字からＳ字に変更となる。４段落目Ｐ４は、これ以上文字サイズを大きくするとテープ幅、行数、文字サイズの組み合わせの兼ね合いでバランスが崩れてしまうため（１行目および／または２行目が最大文字サイズとなっているため）、次回より拡大対象外となる。
【００６１】
図１２の符号Ｌ１５は、符号Ｌ１４の編集状態から、さらに１段階文字サイズを拡大した状態を示す。つまり、１段落目Ｐ１および２段落目Ｐ２の文字サイズが、Ｐ字からＳ´字に変更となる。２段落目Ｐ２は、４段落目Ｐ４と同様、これ以上文字サイズを大きくするとバランスが崩れてしまうため、次回より拡大対象外となる。符号Ｌ１６は、符号Ｌ１５の編集状態から、さらに１段階文字サイズを拡大した状態を示す。つまり、１段落目Ｐ１の文字サイズが、Ｓ´字からＳ字に変更となる。
【００６２】
また、符号Ｌ１７は、符号Ｌ１６の編集状態から、さらに１段階文字サイズを拡大した状態を示す。つまり、１段落目Ｐ１の文字サイズが、Ｓ字からＭ字に変更となる。さらに、符号Ｌ１８は、符号Ｌ１７の編集状態から、もう１段階文字サイズを拡大した状態を示す。つまり、１段落目Ｐ１の文字サイズが、Ｍ字からＬ´字に変更となる。これ以上、文字サイズを拡大すると、編集中の文書に基づくテープ長が定長指定された２５cmを超えてしまうため、ここで拡大処理を終了する。
【００６３】
次に、図１３ないし図１５のフローチャートを参照し、定長設定処理の流れ（編集方法）を説明する。図１３に示すように、テープ印刷装置１は、定長設定されているか否か（「定長印刷」機能が指定されているか否か）を判定する（Ｓ０１）。定長設定されている場合は（Ｓ０１：Ｙｅｓ）、定長設定（指定されたテープ長）が、現在のテープ長（編集中の文書に基づくテープ長）よりも短いか否かを判定する（Ｓ０２）。定長設定が、現在のテープ長よりも短いと判定した場合は（Ｓ０２：Ｙｅｓ）、縮小処理を行う（Ｓ０３）。また、Ｓ０２：Ｎｏの場合は、Ｓ０３を省略し、定長設定が、現在のテープ長よりも長いか否かを判定する（Ｓ０４）。定長設定が、現在のテープ長よりも長いと判定した場合は（Ｓ０４：Ｙｅｓ）、拡大処理を行う（Ｓ０５）。一方、Ｓ０１：Ｎｏの場合、またはＳ０４：Ｎｏの場合は、縮小処理および拡大処理を行うことなく、定長設定処理を終了する。
【００６４】
次に、図１４を参照し、縮小処理（図１３のＳ０３）の流れを説明する。テープ印刷装置１は、文書内に含まれる段落のうち、文字サイズを縮小可能な段落が存在するか否かを判定する（Ｓ１１）。文字サイズを縮小可能な段落とは、ユーザー指定により文字サイズが固定されている段落と、最小文字サイズの文字を含む段落と、を除いた段落を指す。縮小可能な段落が存在すると判定した場合は（Ｓ１１：Ｙｅｓ）、文書内に含まれる文字サイズを縮小可能な全ての段落について、文字サイズを１段落縮小する（Ｓ１２）。また、文字サイズを縮小可能な段落が存在しないと判定した場合は（Ｓ１１：Ｎｏ）、文書内に含まれる段落のうち、文字間を縮小可能な段落が存在するか否かを判定する（Ｓ１３）。文字間を縮小可能な段落とは、文字間が「密着」以外に設定されている段落を指す。
【００６５】
文字間を縮小可能な段落が存在すると判定した場合は（Ｓ１３：Ｙｅｓ）、問い合わせ画面９０（図９参照）を表示し（Ｓ１４）、文字間縮小の許可を示す操作が行われたか否かを判定する（Ｓ１５）。文字間縮小の許可を示す操作が行われたと判定した場合は（Ｓ１５：Ｙｅｓ）、文書内に含まれる文字間を縮小可能な全ての段落について、文字間を１段落縮小する（Ｓ１６）。一方、Ｓ１２の後およびＳ１６の後は、定長設定が、現在のテープ長よりも短いか否かを判定し（Ｓ１７）、短いと判定した場合は（Ｓ１７：Ｙｅｓ）、Ｓ１１に戻る。また、Ｓ１３：Ｎｏの場合、Ｓ１５：Ｎｏの場合、およびＳ１７：Ｎｏの場合は、縮小処理を終了する。
【００６６】
図１５は、拡大処理（図１３のＳ０５）の流れを示すフローチャートである。拡大処理のＳ２１〜２７は、縮小処理のＳ１１〜１７に相当し、「縮小」を「拡大」と読み替えたものと同じであるため、説明を省略する。但し、以下の点のみ異なる。Ｓ２１における「文字サイズを拡大可能な段落」とは、ユーザー指定により文字サイズが固定されている段落と、最大文字サイズの文字を含む段落と、を除いた段落を指す。最大文字サイズは、テープ幅と、行数と、各行の文字サイズのバランスと、対象行に応じて決まる。また、Ｓ２３における「文字間を拡大可能な段落」とは、文字間が「広い」以外に設定されている段落を指す。さらに、Ｓ２７では、定長設定が、現在のテープ長よりも長いか否かを判定する。
【００６７】
以上説明したとおり、本実施形態のテープ印刷装置１によれば、定長設定された場合、制限文字サイズの文字を含む段落以外の全ての段落を対象として文字サイズを変更するため、文書全体の文字サイズのバランスを保持することができる。また、文字サイズの変更が不可能な制限文字サイズの文字を含むか否かに応じて、文字サイズの変更対象となる段落であるか否かを判定するため、文字サイズの変更対象となる段落をユーザーが指定する手間を省くことができる。つまり、ユーザーは、定長設定するだけ（「定長印刷」機能を指定するだけ）の簡単な操作で、文書全体の文字サイズのバランスを極力崩すことなく文字サイズを変更し、指定したテープ長のラベルを作成することができる。
【００６８】
また、文書内に含まれる全ての段落について文字サイズの変更が不可能である場合、文字の文字間を変更するため、ユーザーが指定した定長に極力近づけることができる。また、文字間を変更する際は、問い合わせ画面９０を表示するため、ユーザーの意図に反して文字間を変更してしまうことがない。
【００６９】
なお、以下の変形例を採用可能である。
［変形例１］
上記の実施形態では、問い合わせ画面９０において、文字間を変更するか否かを問い合わせたが、「書体」を変更するか否かを問い合わせても良い。「書体」は、フォント種類や文字の太さによって分類される。つまり、「書体」を変更することによって、文書の長さを縮小／拡大することが可能となる。また、問い合わせ画面９０において、文字間または書体を変更するか否かを問い合わせ、ユーザー操作により変更が許可された場合、必要な縮小テープ長または拡大テープ長に応じて、文字間および書体の少なくとも一方を変更する構成でも良い。さらに、特定段落については、文字間または書体の変更を禁止しても良い。
【００７０】
［変形例２］
また、上記の実施形態では、文書内に、文字サイズの変更の対象となる段落が存在しなくなったときに問い合わせ画面９０を表示したが、文字サイズの変更の対象となる段落が存在するか否かに関わらず、問い合わせ画面９０を表示しても良い。例えば、定長設定に伴って、問い合わせ画面９０を表示し、ユーザーにより文字間および／または書体の変更を許可する所定の操作が行われた場合、文字サイズと、文字間および／または書体と、を変更しても良い。
【００７１】
［変形例３］
上記の実施形態では、文字サイズの変更を伴う処理として「定長設定処理」を例示したが、他の処理が指令された場合にも、上記の実施形態を適用可能である。例えば、テープ長を指定しない縮小処理または拡大処理が指令された場合、上記の実施形態を適用し、文字サイズを変更可能な全ての段落を対象として文字サイズの変更を行っても良い。また、テープ長（文書の長さ）の変更を伴わない処理が指令された場合にも、上記の実施形態を適用可能である。例えば、文字サイズの変更が必要と考えられる特定のフォーマット（書式）が指定された場合にも、文字サイズを変更可能な全ての段落を対象として文字サイズの変更を行っても良い。
【００７２】
［変形例４］
上記の実施形態では、複数の段落を有する文書に対する縮小処理および拡大処理を例示したが、１つの段落を有する文書、または段落の概念がない文書にも、上記の実施形態を適用可能である。例えば、指令部１１０により、複数の行を有する文書に対して、文字サイズの変更を伴う処理が指令された場合を想定する（指令ステップ）。この場合、編集処理部１３０は、文書内（１つの段落内）に、文字サイズの変更が不可能な制限文字サイズの文字を含む行が存在する場合、文字サイズの変更が可能な文字のみで構成される行が存在する場合でも、文書全体（段落全体）の文字サイズの変更をキャンセルする（編集処理ステップ）。この構成により、段落内における文字サイズのバランスを崩すことなく文字サイズを変更することができる。
また、さらなる変形例として、１つの段落ではなく複数の段落を有する文書内に、文字サイズの変更が不可能な制限文字サイズの文字を含む行が存在する場合にも、文書全体（全ての段落）の文字サイズの変更をキャンセルしても良い（編集処理ステップ）。
【００７３】
［変形例５］
上記の実施形態では、文書内に含まれる段落のうち、制限文字サイズの文字を含む段落以外の全ての段落を対象として文字サイズを変更したが、制限文字サイズの文字を含む段落以外の段落のうち所定の条件を満たす（または満たさない）一部の段落を対象外としても良い。所定の条件としては、段落内に含まれる文字の文字種（フォント種類や文字の太さなど）、行数、段落飾りの有無または種類などによって規定される。  
【００７４】
［第２実施形態］
次に、図１６を参照し、本発明の第２実施形態について説明する。上記の第１実施形態では、本発明の情報処理装置をテープ印刷装置１に適用したが、本実施形態ではホスト装置１００に適用する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００７５】
図１６は、第２実施形態に係る印刷システムＳＹの機能構成を示すブロック図である。本実施形態の印刷システムＳＹは、ホスト装置１００およびテープ印刷装置１´を備える。ホスト装置１００としては、パーソナルコンピューター、スマートフォン、携帯電話など、各種情報処理端末を適用可能である。ホスト装置１００は、テープ印刷装置１´を制御するための制御アプリケーションを記憶している。一方、テープ印刷装置１´は、第１実施形態に示したテープ印刷装置１と同様のハードウェア構成を採用しても良いが、キーボード３および表示画面４１を省略した構成でも良い。
【００７６】
ホスト装置１００は、機能構成として、指令部１１０、特定段落指定部１２０、編集処理部１３０、画面表示部１４０、印刷データ生成部１５０および印刷データ送信部２１０を備える。これらは、ホスト装置１００内に記憶された上記の制御アプリケーションにより実現される機能である。印刷データ送信部２１０は、印刷データ生成部１５０により生成された印刷データを、テープ印刷装置１´に送信する。
【００７７】
一方、テープ印刷装置１´は、機能構成として、印刷データ受信部２２０および印刷部１６０を備える。印刷データ受信部２２０は、ホスト装置１００（印刷データ送信部２１０）から送信された印刷データを受信する。
【００７８】
以上説明したとおり、第２実施形態によれば、ホスト装置１００側でラベルの編集を行うため、テープ印刷装置１´の装置構成の簡素化および低廉化を図ることができる。
【００７９】
以上、２つの実施形態および変形例を示したが、これらに示したテープ印刷装置１または印刷システムＳＹにおける各構成要素をプログラムとして提供しても良い。また、そのプログラムを各種記録媒体（ＣＤ−ＲＯＭ、フラッシュメモリー等）に格納して提供しても良い。すなわち、コンピューターをテープ印刷装置１または印刷システムＳＹの各構成要素として機能させるためのプログラム、それを記録したコンピューター読み取り可能な記録媒体、並びにそれによって作成されたラベルも、本発明の権利範囲に含まれる。その他、第２実施形態のホスト装置１００の各部をクラウドコンピューティングで実現するなど、本発明の要旨を逸脱しない範囲で、適宜変更が可能である。
【符号の説明】
【００８０】
１…テープ印刷装置、１１０…指令部、１２０…特定段落指定部、１３０…編集処理部、１４０…画面表示部、１５０…印刷データ生成部、１６０…印刷部。
【図１】
0006763184.tif 000002
【図２】
0006763184.tif 000003
【図３】
0006763184.tif 000004
【図４】
0006763184.tif 000005
【図５】
0006763184.tif 000006
【図６】
0006763184.tif 000007
【図７】
0006763184.tif 000008
【図８】
0006763184.tif 000009
【図９】
0006763184.tif 000010
【図１０】
0006763184.tif 000011
【図１１】
0006763184.tif 000012
【図１２】
0006763184.tif 000013
【図１３】
0006763184.tif 000014
【図１４】
0006763184.tif 000015
【図１５】
0006763184.tif 000016
【図１６】
0006763184.tif 000017